(57)【要約】【課題】種々のフォーマットのビデオ・テスト信号を発生する。【解決手段】循環バッファ１０はトリガ回路１２の制御に応じてビデオ入力データを捕獲する。テスト・プロセッサ１４は、循環バッファ、ネットワーク・インタフェース１８又は捕獲メモリ１６からのビデオ・データのフォーマットを所望のフォーマットに変換して、表示プロセッサ２０から出力する。ビデオ・フォーマット変換器２２は、生ビデオ・データをピクチャ・モニタの入力に適するシリアル・デジタル又はアナログに変換する。【選択図】図１
2008054326.tif 000002
【特許請求の範囲】
【請求項１】
ビデオ・テスト・シーケンスを発生するビデオ・テスト・システムであって、
ビデオ入力端を有し、該ビデオ入力端からビデオ・シーケンス・データを受ける循環バッファと、
該循環バッファに結合され、トリガ信号を発生して、上記循環バッファに上記ビデオ・シーケンス・データの少なくとも一部を捕獲させるトリガ手段と、
上記循環バッファに結合され、上記捕獲されたビデオ・シーケンス・データに基づいたビデオ・テスト・シーケンスを発生するテスト発生器と
を具えたビデオ・テスト・システム。
【請求項２】
ビデオ・シーケンスを捕獲するビデオ波形モニタと、
該ビデオ波形モニタと結合され、上記ビデオ・シーケンスを受けて、このビデオ・シーケンスに基づいたビデオ・テスト・シーケンスを発生するビデオ信号発生器と
を具えたビデオ・テスト・システム。
【請求項３】
ビデオ・テスト・シーケンスを発生する方法であって、
ビデオ・テスト機器にてビデオ・シーケンスを捕獲し、
上記ビデオ・シーケンスに基づいて上記ビデオ・テスト・シーケンスを発生する
ビデオ・テスト・シーケンス発生方法。
【請求項４】
循環バッファにビデオ・シーケンスを捕獲し、
コンピュータ・ネットワーク上での転送又はコンピュータが読み出せる媒体への蓄積に適する
標準フォーマットに、上記ビデオ・シーケンスを変換する
ビデオ・シーケンス・データ発生方法。
【発明の詳細な説明】
【技術分野】
【０００１】
本発明は、一般に、ビデオ・ソースをモニタ及び分析するシステム及び測定機器に関し、特に、ビデオ・テスト・システム及びビデオ・シーケンス・データ発生方法に関する。
【背景技術】
【０００２】
ビデオ・テスト機器及びシステムは、アナログ及びデジタルの両方のフォーマットで今も増え続けているビデオ・ソース（信号源）をモニタし、分析を行う。アナログ・フォーマットの例には、ＮＴＳＣ、ＰＡＬ及びＳＥＣＡＭがある。デジタル・フォーマットには、標準分解能フォーマット（ＳＤ）及び高分解能フォーマット（ＨＤ）の両方がある。デジタル・フォーマットの例には、ＣＣＩＲ６０１フォーマットや、Ｈ．２６４を含むＭＰＥＧフォーマットがある。デジタル・ビデオは、例えば、シリアル・デジタル・インタフェース（ＳＤＩ）を用いて伝送できる。
【０００３】
ビデオ・ソースをモニタし、これらを分析して種々の測定を行う他に、いくつかのビデオ・テスト機器では、トリガに基づいてビデオ・ソース信号の一部を捕獲することができる。このトリガは、ユーザの入力による外部事象や、別のテスト機器からの信号に基づいている。また、別のいくつかの機器では、内部的に発生したトリガに基づいてトリガ機能を実現している。この内部的に発生するトリガの場合、ある場合には望ましいが一般的に望ましくない特性や、ビデオ・ソース信号と共に含まれるその他の情報とビデオ・ソースが一致したときに、トリガが内部的に発生する。たとえば、巡回冗長検査（ＣＲＣ）エラー、ガマット・エラー、補助的データ識別（ANC DID: ancillary data identification）に基づいて、トリガが発生する。
【０００４】
いくつかの実施において、生のビデオ・データを受信すると、このデータを循環バッファに書き込む。トリガに応答して、循環バッファ内のビデオ・データを保持することにより、信号を効果的に捕獲する。捕獲したビデオ・データは、フレームの一部、フレーム、連続フレームのシーケンス、非連続フレームのシーケンス、又はこれらの組合せから構成されている。次に、捕獲された生データは、ビデオ・テスト機器内での追加的な分析に利用できる。
【０００５】
【特許文献１】特開平９−２１５０１５号公報
【発明の開示】
【発明が解決しようとする課題】
【０００６】
ビデオ・テスト機器は、しばしばビデオ・テスト発生器を用いて、カラー・バーなどの標準テスト・パターンを含む種々のテスト・パターンを発生する。これらテスト・パターンは、コード・フォーマットにより定義され、このコード・フォーマットを用いてテスト用のビデオ・フレームを発生する。ビデオ・テスト発生器からのテスト・パターンの数及び種類が多く、実行するテストの特徴に応じた特定のパターンに制限されてしまう。これらテスト・パターンでは、不確定なビデオ・シーケンスを再生して、ビデオ・プロダクション・システムの如きビデオ環境のテストを行えるようにすることができなかった。
【課題を解決するための手段】
【０００７】
本発明は、ビデオ・テスト・シーケンスを発生するビデオ・テスト・システムであって；ビデオ入力端を有し、このビデオ入力端からビデオ・シーケンス・データを受ける循環バッファと；この循環バッファに結合され、トリガ信号を発生して、循環バッファにビデオ・シーケンス・データの少なくとも一部を捕獲させるトリガ手段と；循環バッファに結合され、捕獲されたビデオ・シーケンス・データに基づいたビデオ・テスト・シーケンスを発生するテスト発生器とを具えている。
また、本発明のビデオ・テスト・システムは；ビデオ・シーケンスを捕獲するビデオ波形モニタと；このビデオ波形モニタと結合され、ビデオ・シーケンスを受けて、このビデオ・シーケンスに基づいたビデオ・テスト・シーケンスを発生するビデオ信号発生器とを具えている。
さらに、本発明は、ビデオ・テスト・シーケンスを発生する方法であって；ビデオ・テスト機器にてビデオ・シーケンスを捕獲し；ビデオ・シーケンスに基づいてビデオ・テスト・シーケンスを発生させる。
また、本発明のビデオ・シーケンス・データ発生方法は、循環バッファにビデオ・シーケンスを捕獲し；  コンピュータ・ネットワーク上での転送又はコンピュータが読み出せる媒体への蓄積に適する標準フォーマットに、ビデオ・シーケンスを変換する。
【発明を実施するための最良の形態】
【０００８】
よって、本発明は、捕獲したビデオ・シーケンスに基づいたビデオ・テスト・シーケンスを発生するビデオ・テスト機器を提供する。ビデオ・テスト機器の実施例では、ビデオ入力端及びビデオ出力端を有し、ビデオ入力端からのビデオ・シーケンス・データを受ける循環バッファと、この循環バッファに接続され、トリガ信号を供給して、ビデオ・シーケンス・データの一部を循環バッファに捕獲させるトリガ手段と、循環バッファのビデオ出力端に接続され、捕獲したビデオ・シーケンス・データに基づいてビデオ・テスト・シーケンスを発生するトリガ発生器とを具えている。
【０００９】
いくつかの実施例においては、トリガ手段は、手動トリガ又は外部トリガに基づいてトリガ信号を発生する。他の実施例においては、トリガ手段は、巡回冗長検査（ＣＲＣ）エラー、ガマット・エラー、又は補助的データ識別に基づいて内部的にトリガ信号を発生する。
【００１０】
本発明のビデオ・テスト機器の実施例は、循環バッファのビデオ出力端及びテスト発生器の間に接続されたフォーマット変換器を有する。捕獲したビデオ・シーケンス・データを生ビデオ・データとして循環バッファに蓄積する。生ビデオ・データは、パラメータ・フォーマットのデジタル・ビデオ・データである。本願では、用語「フォーマット」は、データ・フォーマットのことであるが、１０８０ｉ５９．９４の如きビデオ・フォーマットではなく、伝送の際のフォーマットである。生ビデオ・データは、追加的なヘッダ又はフォーマット・データを含んでいないので、典型的には変更できない。例えば、生ビデオ・データは、１０ビットのＹ、Ｃｂ、Ｃｒデータを含んでいる。代わりに、生ビデオ・データは、二重リンク（dual link）１０ビットの４：４：４ＲＧＢの如きＲＧＢフォーマットでもよい。二重リンクＨＤ標準は、２個のシリアル・リンクでデータを送る。２個の循環バッファを用いる二重リンクの実施では、各リンクに１個の循環バッファである。各リンクは、パラレル・フォーマットに変換されると、２０ビットを発生する。組み合わされた４０ビットは、以下の二重リンク・データ・フォーマットにてデータを表す。
【００１１】
二重リンク１２ビット４：２：２（ＹＣｂＣｒ）
二重リンク１０ビット４：４：４（ＹＣｂＣｒ）
二重リンク１０ビット４：４：４：４（ＹＣｂＣｒ＋Ａ）
二重リンク１２ビット４：４：４（ＹＣｂＣｒ）
二重リンク１０ビット４：４：４（ＲＧＢ）
二重リンク１０ビット４：４：４：４（ＲＧＢ＋Ａ）
二重リンク１２ビット４：４：４（ＲＧＢ）
二重リンク１０ビット４：４：４（ＸＹＺ）
二重リンク１０ビット４：４：４：４（ＸＹＺ＋Ａ）
二重リンク１２ビット４：４：４（ＸＹＺ）
【００１２】
ここで、Ａは、アルファ・チャネル（クロマ・キーイング・データ）に対応する。ＸＹＺは、ユーザ定義の色度値（ＹＣｂＣｒで用いる典型的な色度値と異なるかもしれない）である。４：２：２は、Ｙが２サンプルでＣｂ及びＣｒの各々が１サンプルであるので、クロマ・コンポーネントは、ルミナンス・コンポーネントのレートの半分でサンプリングされる。４：４：４は、ルミナンス及びクロマが同じレートでサンプリングされる。
【００１３】
ビデオ・テスト・システムは、循環バッファと通信を行い、捕獲したビデオ・シーケンス・データの長時間の蓄積を行う捕獲メモリを具えてもよい。捕獲メモリは、読出し/書き込みインタフェースを介して通信を行い、捕獲したビデオシリアル・データを循環バッファに戻してもよい。代わりに、他のビデオ・ソースから捕獲したビデオ・シーケンスを循環バッファに伝送してもよい。
【００１４】
いくつかの実施例において、多数の測定機器を用いて、ビデオ・テスト・システムを構成してもよい。例えば、ビデオ波形モニタがビデオ・シーケンスを捕獲し、このビデオ波形モニタと通信を行うビデオ信号発生器がビデオ・シーケンスを受け、このビデオ・シーケンスに基づいてビデオ・テスト・シーケンスを発生する。これらビデオ波形モニタ及びビデオ信号発生器を組合せて、ビデオ・テスト機器を形成する。
【００１５】
実施例では、ネットワーク・インタフェースを介して通信を行うことにより、ビデオ・テスト機器を構成する。代わりに、コンピュータが読出し可能な媒体（メディア）を用いて、第１機器から得たビデオ・データを第２機器にロードすることにより、第１機器が第２機器と通信できる。
【００１６】
ビデオ・テスト・シフトは、あるフォーマットから他のフォーマットに変換する必要があるかもしれない。この変換機能をビデオ波形モニタに設けてもよい。代わりに、ビデオ信号発生器内で変換を行ってもよい。いくつかの実施例では、データを中間フォーマットに変換して、変換を行ってもよい。
【００１７】
本発明は、ビデオ・テスト・シーケンスを発生する方法も提供する。この方法では、ビデオ・テスト機器内でビデオ・シーケンスを捕獲し、捕獲したビデオ・シーケンスに基づいてビデオ・テスト・シーケンスを発生する。いくつかの実施例では、更に伝送するために、ビデオ・テスト・シーケンスを生ビデオ・フォーマットからアナログ・ビデオ・フォーマット又はシリアル・デジタル・ビデオ・フォーマットに変換する。別の実施例では、ビデオ・テスト・シーケンスを生ビデオ・フォーマットから、ネットワーク伝送又はコンピュータが読み出せるメディアに適するフォーマットに変換する。
【００１８】
いくつかの実施例では、ネットワーク伝送又はコンピュータが読み出せるメディアから受けたビデオ・テスト・シーケンスを生ビデオ・フォーマットに戻すように変換する。他の実施例では、ネットワーク伝送又はコンピュータが読み出せるメディアに蓄積されたビデオ・データを、本願出願人のテクトロニクス社が用いているＰＩＣフォーマットの如きビデオ・テスト・シーケンスに適するフォーマットに変換する。なお、ビデオ・シーケンスに基づくビデオ・テスト・シーケンスを発生することは、ビデオ信号発生器の如き別のビデオ・テスト機器を用いて行ってもよい。本願における用語「ビデオ信号発生器」は、一般的にビデオ信号発生器と呼ばれている機器や、デジタル・ビデオ・データに基づいてビデオ出力信号を発生できる任意の他の機器又は回路である。
【００１９】
また、本発明の方法では、循環バッファにビデオ・シーケンスを捕獲し、このビデオ・シーケンスを、コンピュータ・ネットワークによる伝送、コンピュータが読出し可能なメディアへの蓄積、汎用コンピュータでの使用に適する標準フォーマットに変換する。コンピュータが読出し可能なメディアは、例えば、ハード・ドライブ、ＵＳＢドライブ、フロッピー（登録商標）、光ディスクでもよい。いくつかの実施例において、標準フォーマットは、ファイル・ヘッダを有する２進ファイル、カンマ分離値（ＣＳＶ）ファイル、スプレッドシートが読出し可能なフォーマット、又はビット・マップ・フォーマットなどである。
【実施例】
【００２０】
図１は、本発明のビデオ・テスト・システム８の第１実施例を示す。ビデオ入力を循環バッファ１０及びトリガ回路１２に供給する。これらは、テスト・プロセッサ１４により制御される。トリガ・システムを含んだデジタル・ビデオ・エラー・アナライザの詳細は、米国特許第５７３４４２２号明細書（特開平１０−８４５６０号公報に対応）に記載されている。一実施例において、ビデオ入力は、予め伝送用のフォーマットから蓄積及び処理に適するフォーマットに変換されている。例えば、デジタル・ビデオを同軸分布用のシリアルＮＲＺフォーマットで機器に入力し、パラレル・フォーマットに変換し、ビデオ入力として供給する。循環バッファに供給されたビデオ入力データは、生ビデオ・データであり、例えば、１０ビット・パラレル・データである。このビデオ入力は、循環バッファ又はトリガ回路に入力される前に、シリアル・デジタル又はアナログ・フォーマットから変換される。一実施例においては、トリガ回路１２は、現在循環バッファ１０内のデータを保持するように、循環バッファ１０に指示するので、循環バッファ１０は、捕獲した最新のデータを一時的に蓄積する。循環バッファ１０に保持されたデータは、次にプロセッサ１４により利用可能であり、循環バッファ１０の捕獲されたビデオ・データの分析を行う。
【００２１】
別な実施例においては、トリガにより、循環バッファは別のストレージ（蓄積手段）に書き込みを行う。図１に示すごとく、テスト・プロセッサ１４は、捕獲メモリ１６に対して読み出し／書き込みアクセスを行う。捕獲メモリ１６は、内部メモリ、外部メモリ又は取り外し可能な（リームーバブル）メモリでもよい。捕獲メモリ１６は、１個以上のハード・ドライブ、フラッシュ・メモリの如きスタティクＲＡＭ、ＣＤ−Ｒ又は記録可能なＤＶＤの如きオプティカル・ストレージ、又はデジタル・データを蓄積する任意の他のメディアを用いて実現される。一実施例において、捕獲メモリは、例えば、ＵＳＢメモリ・スティックである。この場合、テスト・プロセッサ１４は、循環バッファからの生のフォーマットのビデオ・データをＵＳＢフォーマットに変換する。別の実施例において、テスト・プロセッサ１４は、循環バッファからの生のフォーマットのビデオ・データを、ビデオ・テスト信号発生器又は汎用コンピュータの如き他の機器が利用可能な別のフォーマットに変換する。いくつかの実施例において、テスト・プロセッサ１４は、ネットワーク・インタフェース１８に接続され、循環バッファからのデータを変換され、ローカル・エリア・ネットワーク（ＬＡＮ）、ワイド・エリア・ネットワーク（ＷＡＮ）又はグローバル・ネットワークの如きネットワークを介して伝送されるように付勢（イネーブル）される。ネットワーク・インタフェース１８は、例えば、イーサネット（登録商標）接続により実現してもよい。
【００２２】
テスト・プロセッサ１４は、表示プロセッサ２０に接続され、この表示プロセッサ２０は、機器表示出力を発生する。表示プロセッサ２０は、測定結果を含むテスト・プロセッサの分析結果を伴う機器表示出力を発生する。これら結果を循環バッファ１０からのビデオ出力と同時に共通表示ウィンドウ又はウィンドウ表示環境内の別の表示ウィンドウ内に供給できる。循環バッファ１０からのビデオ出力は、ループ・シーケンスのビデオ出力でもよい。他の実施例において、表示プロセッサ２０は、ビデオ入力を、例えば、テスト・プロセッサ１４からのテキスト、図形、波形又は他のデータとの組み合わせで表示する。なお、表示プロセッサ２０は、マルチプレクサ（台形のブロック）を介してビデオ入力及び循環バッファ１０の出力を選択的に受ける。
【００２３】
一実施例において、ビデオ入力をピクチャ・モニタの如きモニタに供給する。ビデオ・フォーマット変換器２２は、１０ビット・パラレル生ビデオ・データの如き生ビデオ・フォーマットを、ピクチャ・モニタの入力に適するシリアル・デジタル又はアナログに変換する。別の実施例において、循環バッファは、そのビデオ出力をビデオ・フォーマット変換器２２に供給して、変換されたビデオをテスト発生器出力として提供する。なお、ビデオ・フォーマット変換器２２は、マルチプレクサ（台形のブロック）を介してビデオ入力及び循環バッファ１０の出力を選択的に受ける。
【００２４】
図１に示すごとく、機器１８の実施例では、テスト・プロセッサ１４は、循環バッファ１０に書き込みができる。一実施例において、テスト・プロセッサ１４は、捕獲メモリ又はネットワーク・インタフェースからのビデオ・データを提供する。このビデオ・データは、例えば、トリガに基づいて循環バッファ１０から事前に伝送されたデータでもよい。代わりに、テスト・プロセッサ１４は、別のテスト機器から得たビデオ・データを提供する。さらに、テスト・プロセッサ１４は、循環バッファにビデオ・データを供給する前に、そのビデオ・データを変更してもよい。テスト・プロセッサは、ネットワーク・インタフェースから得た生ビデオ・データか捕獲データを提供して、他のフォーマットで蓄積されたビデオ・データを、循環バッファ１０に書き込むのに適する生データ・フォーマットに戻す。
【００２５】
いくつかの実施例において、循環バッファ１０は、多バンク循環バッファである。多バンク循環バッファは、多数組のビデオ・データを循環バッファ内で同時に蓄積できる。循環バッファは、多数組の捕獲ビデオ・データ、又は、直近で捕獲したビデオ・データと以前に捕獲したビデオ・データの組み合わせを蓄積できる。なお、以前に捕獲したビデオ・データは、捕獲メモリから又はネットワーク・インタフェースから読み出された後に、テスト・プロセッサにより提供される。動作において、この特徴により、元の取り込み期間中と類似又は同じ方法で分析ができる。さらに、遠隔機器を含む他の機器からの取り込みビデオ・データがシステム８内の分析用に提供される。
【００２６】
図２は、本発明のビデオ・テスト・システム８の他の実施例を示す。この実施例において、ビデオ・テスト・システムは、ビデオ・シーケンスを捕獲できるビデオ・テスト機器３２と、ビデオ・テスト発生器３４とを具えている。このビデオ・テスト発生器３４は、ビデオ・テスト機器３２とデータ通信を行い、ビデオ・テスト・シーケンスを発生できる。ここで通信とは、ビデオ・テスト・システムが内部接続やネットワーク接続の如き直接接続を含む任意の適切な手段によりデータを受信できることを意味するし、又は、ＵＳＢメモリ・デバイス、フロッピー（登録商標）、ＣＤ、リムーバブル・ハード・ドライブ、ファイアワイヤ・ドライブなどのメディアや、一方のドライブから他方のドライブにデータを転送するのに用い、データを蓄積できる他のメディアからのデータを受ける入力端によりデータを受信できることを意味する。ビデオ・テスト発生器３４は、発生器プロセッサ３６、ビデオ・テスト・シーケンス・ストレージ３８、ビデオ・テスト出力端を有するビデオ・テスト発生回路３９を具えている。このシステムの実施例において、ビデオ・テスト発生器３４は、ビデオ・テスト機器３２から生の捕獲データを受け、この生データを用いてビデオ・テスト出力を発生する。他の実施例において、ビデオ・テスト機器３２は、循環バッファ又は捕獲メモリに蓄積されたビデオ・データを、ビデオ・テスト発生器３４に好ましいフォーマットに変換する。代わりに、ビデオ・テスト・システムは、ビデオ・データを中間標準フォーマットに変換してもよい。この場合、ビデオ発生プロセッサ３６は、中間標準フォーマットでビデオ・データを受け、それをビデオ・テスト発生回路３９に適するフォーマットに変換する。
【００２７】
図２に示すごとく、他の実施例においては、ビデオ・テスト機器３２、ビデオ・テスト発生器３４又はこれらの両方とデータ通信を行うように、ＰＣ又はマッキントッシュ（登録商標）ベースのコンピュータの如き汎用コンピュータを設ける。汎用コンピュータは、ＤＯＳ、ウィンドウズ（登録商標）、リナックス（登録商標）又はＯＳ−Ｘなどの任意のオペレーティング・システムで動作してもよい。本発明の実施例において、ビデオ・テスト発生器３４に供給する前に、汎用コンピュータ４０を用いて、ビデオ・テスト・システム３２からの捕獲ビデオ・ファイルを変える。この場合、捕獲された標準ビデオ・テスト信号、又は選択された条件に基づいて捕獲された非標準ビデオ・テスト信号からカスタム・ビデオ・テスト信号を発生させる。
【００２８】
図２に示すシステムを用いる動作においては、更に分析するために汎用コンピュータにより利用できる標準フォーマットに変換するか、又は、ＰＣＩフォーマットの如きビデオ・テスト発生器と両立できるフォーマットに変換可能な中間フォーマットとして変換することが望ましい。標準／中間フォーマット変換は、例えば、捕獲ビデオ・データを、ヘッダを有する二進ファイルに変換するものでもよい。ヘッダは、時間を記述した情報を含んでもよいし、捕獲、トリガ事象、又はビデオ・データの捕獲を行うその他の事象、捕獲するビデオ・フォーマット、含まれるビデオ・データの量のデータを含んでもよい。シリアル・デジタル・ビデオ・データの場合、ビデオ・データは、Ｙ、Ｃｂ、Ｃｒ画像データを表す１０ビット値から構成されるが、例えば、ＥＡＶ／ＳＡＶを伴う補助データを含んでもよい。
【００２９】
他の実施例において、蓄積後、ビデオ・テスト・システム又は別のビデオ・テスト・システム、ビデオ・テスト発生器又は汎用コンピュータで更に処理をするために、捕獲ビデオ・データ（捕獲したビデオ・データ）をＵＳＢフォーマットに変換する。
【００３０】
他の実施例においては、捕獲ビデオ・データを業界標準のカンマ分離値（ＣＳＶ）ファイルに変換する。このＣＳＶファイルは、更に分析するために他の機器又は汎用コンピュータで読み取り可能であり、又はテスト信号発生器により読み取られる。更に別の実施例では、捕獲ビデオ・データを標準スプレッドシート・フォーマットに変換する。
【００３１】
図２に示すシステムは、別のシステム又はプロセッサを識別する。当業者に理解できるように、最新のテスト・システムは、上述の汎用オペレーティング・システムを含む汎用コンピュータ・システムを用いて実現できる。この場合、共通の汎用コンピュータ又はプロセッサを用いて、適切なプログラミングに基づく識別済みプロセッサの機能を実現する。本発明のいくつかの実施例では、総ての要素が単一の機器内に設けられる。
【００３２】
図３は、捕獲したビデオ・データ（捕獲ビデオ信号）に基づいてビデオ・テスト信号を発生する方法の一実施例を示す。ステップ６０にて、捕獲ビデオ信号を得る。同じ機器内又は別の機器から捕獲ビデオ・データ（信号）を得てもよい。ネットワーク接続、又は上述のメディア（媒体）のいくつかを用いて、捕獲ビデオ・データを得てもよい。ステップ６２にて、捕獲ビデオ・データに基づいてビデオ・テスト信号を発生する。
【００３３】
図４は、本発明の他の実施例により、捕獲されたビデオ・シーケンスに基づくビデオ・テスト信号を発生する方法の流れ図であり、図３と同じステップは、同じ参照符号で示し、その説明を省略する。この図４に示すように、ステップ６０の後、追加ステップ６４は、ビデオ・テスト信号を発生する（ステップ６２）前に、捕獲ビデオ・データを標準フォーマットに変換する。この変換ステップ６４は、ビデオ・テスト発生器を用いてビデオ・テスト信号を発生するのに適するフォーマットに捕獲ビデオ・データを直接変換する。また、この代わりに、ビデオ・テスト信号を発生するのに適するフォーマットに変換する前に、中間標準フォーマットに変換してもよい。
【００３４】
図５は、本発明の別の実施例により、捕獲されたビデオ・シーケンスに基づくビデオ・テスト信号を発生する方法の流れ図であり、図３と同じステップは、同じ参照符号で示し、その説明を省略する。ステップ６０の後、ステップ６５にて、捕獲ビデオ・データを中間フォーマットに変換する。この中間フォーマットは、コンピュータが読み出し可能なメディアへの蓄積、ネットワーク伝送、データ分析又はデータ操作に適するフォーマットにできる。次に、ステップ６６にて、捕獲ビデオ・データを中間フォーマットから、ビデオ・テスト信号を発生するのに適するフォーマットに変換する。このフォーマットは、元のビデオ捕獲システムが用いる生のフォーマットでもよいし、異なるビデオ発生機器に適するフォーマットでもよい。これら変換ステップ６５及び６６の期間中、又はその間、捕獲ビデオ・データを変更して、テスト・システムにおけるエラー又はその他の結果を生じる可能性を増やしたり減らしたりしてもよい。
【００３５】
本発明の要旨を逸脱することなく、上述の実施例の細部において種々の変更が可能であることが当業者には明らかであろう。
【図面の簡単な説明】
【００３６】
【図１】本発明の一実施例によるビデオ・テスト機器のブロック図である。
【図２】本発明の他の実施例によるビデオ・テスト機器のブロック図である。
【図３】本発明の一実施例により、捕獲されたビデオ・シーケンスに基づくビデオ・テスト信号を発生する方法の流れ図である。
【図４】本発明の他の実施例により、捕獲されたビデオ・シーケンスに基づくビデオ・テスト信号を発生する方法の流れ図である。
【図５】本発明の別の実施例により、捕獲されたビデオ・シーケンスに基づくビデオ・テスト信号を発生する方法の流れ図である。
【符号の説明】
【００３７】
８  ビデオ・テスト・システム
１０  循環バッファ
１２  トリガ回路
１４  テスト・プロセッサ
１６  捕獲メモリ
１８  ネットワーク・インタフェース
２０  表示プロセッサ
２２  ビデオ・フォーマット変換器
３２  ビデオ・テスト機器
３４  ビデオ・テスト発生器
３６  発生器プロセッサ
３８  ビデオ・テスト・シーケンス・ストレージ
３９  ビデオ・テスト発生回路
４０  汎用コンピュータ
【図１】
2008054326.tif 000003
【図２】
2008054326.tif 000004
【図３】
2008054326.tif 000005
【図４】
2008054326.tif 000006
【図５】
2008054326.tif 000007